【事件の表示】
　特願２０００−５３２２８０「ラベルとしての感熱性記録材料の使用」拒絶査定不服審判事件〔平成１１年８月２６日国際公開、ＷＯ９９／４２２９８、平成１４年２月５日国内公表、特表２００２−５０３５７３〕について、次のとおり審決する。
【結　論】
　本件審判の請求は、成り立たない。
【理　由】
１．手続の経緯・本願発明 
　　　　　　
　本願は、１９９９年２月１３日（パリ条約による優先権主張　外国庁受理１９９８年２月１７日、ドイツ）を国際出願日とする出願であり、平成１９年１２月１９日付拒絶理由通知に対し、平成２０年３月２７日付で意見書、手続補正書が提出され、同年４月２５日付で拒絶査定がなされ、これに対し、同年７月１７日付で拒絶査定に対する審判請求がなされたものであり、その請求項１に係る発明は、平成２０年３月２７日付で補正された特許請求の範囲・請求項１に記載された次のとおりのものと認める。（以下「本願発明」という。）
　　　　　　　
「【請求項１】
　ａ）その前面上に、色素前駆体及びこの色素前駆体との接触時に色形成反応をする顕色性受容体を含有する感熱性記録層が配置されている層支持体、
ｂ）層支持体と感熱性記録層との間に配置された中間層、
ｃ）感熱性記録層を覆い、かつ熱線を用いて硬化された、珪素含有化合物不含の保護層、その際、その樹脂成分がアクリレート及び／又はメタクリレートのモノマー又はプレポリマーから形成されており、並びに
ｄ）層支持体の裏側上に配置された粘着層より成る感熱性記録材料の、
ｅ）ロールに巻き上げ可能であり、このロール中で粘着層が保護層と接触する、オフセット−又はフレキソ印刷法で印刷すべきラベル材料としての使用。」
　　　　　　　
２．引用刊行物等の記載事項
２−１．刊行物１
これに対して、原査定の拒絶の理由に引用文献１として引用された特開平２−２２７２８４号公報（以下、「刊行物１」という。）には、次の事項が記載されている。（アンダーラインは当審で付与した。）
　　　　　　　
《１ａ》「特許請求の範囲
（１）支持体上に発色剤及び該発色剤と接触して呈色する呈色剤を含有する感熱記録層を形成してなる感熱記録体において、感熱記録層中の発色剤と呈色剤の内少なくとも一方の成分をマイクロカプセルに内包させ、且つ感熱記録層上に電離放射線によって硬化し得る樹脂を含有する層を設け、更に該層を電離放射線照射により硬化してオーバーコート層を形成してなる感熱記録体。
（２）発色剤が無色若しくは淡色の塩基性染料であり、呈色剤が酸性物質である請求項（１）記載の感熱記録体。
（３）電離放射線が電子線である請求項（１）記載の感熱記録体。」
（特許請求の範囲・（１）〜（３））　　　
　　　　　　
《１ｂ》「３．発明の詳細な説明
「産業上の利用分野」
　本発明は感熱記録体に関し、特に白色度が高く、記録濃度、保存性に優れた感熱記録体に関するものである。
「従来の技術」
　従来、発色剤と該発色剤と接触して呈色する呈色剤との反応を利用し、熱により両発色物質を接触せしめて発色像を得るようにした感熱記録体は良く知られている。かかる感熱記録体は比較的安価であり、また記録機器がコンパクトでかつその保守も比較的容易であるため、ファクシミリや各種計算機等の記録媒体としてのみならず感熱ラベル等巾広い分野において使用されている。しかし、耐指紋性、耐溶剤性に難があり、例えば記録層に人の皮脂あるいは溶剤が接触すると記録濃度の低下を来したり、地肌カブリと称する不要な発色を生じる欠点がある。」
（１頁右下欄６行〜２頁左上欄３行）
　　　　　　
《１ｃ》「「課題を解決するための手段」
　本発明は、支持体上に発色剤及び該発色剤と接触して呈色する呈色剤を含有する感熱記録層を形成してなる感熱記録体において、感熱記録層中の発色剤と呈色剤の内少なくとも一方の成分をマイクロカプセルに内包させ、且つ感熱記録層上に電離放射線によって硬化し得る樹脂を含有する層を設け、更に該層を電離放射線照射により硬化してオーバーコート層を形成してなる感熱記録体である。」
（２頁左下欄末行〜同頁右下欄９行）
　　　　　　　　　
《１ｄ》「「作用」
　本発明において感熱記録層に含有する発色剤及び呈色剤の組み合わせについては特に限定されるものではなく、・・・特に塩基性染料と酸性物質との組み合わせを使用した場合には記録特性が極めて優れたものが得られるため、とりわけ好ましい。
無色ないし淡色の塩基性染料
・・・３−（Ｎ−シクロヘキシル−Ｎ−メチルアミノ）−６−メチル−７−フェニルアミノフルオラン、・・・等のフルオラン系染料等。
　また
塩基性染料と接触して呈色する無機ないし有機の酸性物質
（２頁右下欄１０行〜４頁右上欄８行）
　　　　　　　　
《１ｅ》「
支持体としては
フィルム法合成紙
・・・
　さらに、
支持体に下塗り層を設けたり、記録体裏面に粘着剤処理を施し、粘着ラベルに加工する
（５頁右上欄１２行〜同頁右下欄１５行）
　　　　　　　　
《１ｆ》「
オーバーコート層を形成する
プレポリマーやモノマー
（ａ）脂肪族、脂環族、芳香脂肪族２〜６価の多価アルコール及びポリアルキレングリコールのポリ（メタ）アクリレート；・・・等のプレポリマーが挙げられる。
　また、モノマーとしては、
（ａ）エチレン不飽和モノ又はポリカルボン酸で代表されるカルボキシル基含有単量体及びそれらのアルカリ金属塩、アンモニウム塩、アミン塩等のカルボン酸塩基含有単量体；・・・等が挙げられる。」
（６頁左上欄４行〜同頁右下欄１４行）
　　　　　　　　　
《１ｇ》「実施例１
(1)Ａ１液調製（カプセル液調製）
３−（Ｎ−シクロヘキシル−Ｎ−メチルアミノ）−６−メチル−７−フェニルアミノフルオラン１５部を・・・混合溶媒３５部中に溶解、・・・この油性液をポリビニルアルコール・・・の２％水溶液１５０部中に添加し、ホモミキサーを用いて乳化して平均粒径３μｍの分散液を得た。この分散液に・・・を添加し、・・・加温して４時間反応させた。その後室温まで冷却して発色剤含有マイクロカプセル分散液を得た。
(2)Ｂ液調製
４−ヒドロキシ安息香酸ベンジル３０部、メチルセルロース５％水溶液５部及び水４５部の溶液をサンドグラインダーで平均粒子径が３μｍとなるまで粉砕した。
(3)記録層の形成
Ａ１液２０７部、Ｂ液８０部、２０％酸化澱粉水溶液１００部を混合、撹拌し塗液とした。得られた塗液を８０ｇ／ｍ２の合成紙（商品名；ユポ、王子油化社製）に乾燥後の塗布量が７ｇ／ｍ２となるように塗布乾燥して感熱記録体を得た。
(4)オーバーコート層の形成
得られた感熱記録層上に、トリメチロールプロパントリアクリレート（・・・）を乾燥塗布量が３ｇ／ｍ２となるように塗布し、エレクトロンカーテン型電子線照射装置（・・・）で３Mradの照射線量で処理して樹脂成分を硬化させオーバーコート層を有する感熱記録体を得た。」
（８頁右上欄３行〜同頁右下欄２行）
　　　　　　　　　
《１ｈ》「「効果」
　第１表（転記を省略。；当審注。）の結果から明らかなように本発明の感熱記録体は白色度に優れ、記録濃度が高く、記録保存性に優れた感熱記録体であった。」
（１０頁右上欄１〜４行）
　　　　　　　　　
・以上のことから、上記《１ａ》〜《１ｈ》の記載などを含む刊行物１には、次の発明が記載されていると認めることができる。
　　　　　
「Ａ）マイクロカプセルに内包される略無色の塩基性染料の発色剤と、該発色剤と接触して呈色する有機酸性物質の呈色剤とを含有する感熱記録層がその前面上に配置されるフィルム法合成紙の支持体、
Ｂ）支持体と感熱記録層との間に配置される下塗り層、
Ｃ）感熱記録層を覆う様に、アクリレート系プレポリマーを塗工、電離放射線照射で硬化して形成されるオーバーコート層、
Ｄ）支持体の裏面に配置された粘着層、
よりなる感熱記録体を粘着ラベルとして使用する方法。」
　　　　　　
２−２．周知引例１
実願昭５７−１４１８３０号（実開昭５９−４６２６５号）のマイクロフィルム
「感熱記録用ラベルシート」（拒絶理由に引用した文献３と同じ）
《２ａ》感熱記録用ラベルシートの表面に保護・離型層、裏面に粘着層を設けて、離型紙を挟むこと無く巻き取り状態にしておき、フッ素系樹脂製プラテンロールで巻きほどいて感熱プリンターに供給すると、印字、走行性ともに良好であったことが記載されている。
  　　　　　　
２−３．周知引例２
特開平２−１７５２８１号公報
「感熱記録材料」（拒絶理由に引用した文献５と同じ）
《４ａ》炭酸カルシウム微粒子を含有する水性バインダーの塗工・乾燥で得られる、表面保護層を備えた感熱ラベルは、印刷適性が普通紙並に良好なので、自動券売機の券紙に好適に使用できると記載されている。
　　　　　　　　
２−４．周知引例３
特開平６−７２０２５号公報
「感熱記録体の製造方法」（拒絶理由に引用した文献６と同じ）
《５ａ》アクリロニトリル系３元共重合体をバインダーとする感熱記録層をもつシートは、オフセット印刷、凸版印刷に好適な表面強度を有するので、予め、伝票フォームの印刷を施して、ＡＴＭ装置などの出力伝票に使用できることが記載されている。
　　　　　
３．対比 
・本願発明と刊行物１発明とを対比するに、
刊行物１発明の
「略無色の塩基性染料の発色剤」、
「発色剤と接触して呈色する有機酸性物質の呈色剤」、
「感熱記録層」、
「フィルム法合成紙の支持体」、
「下塗り層」は、
それぞれ、本願発明の
「色素前駆体」、
「色素前駆体との接触時に色形成反応をする顕色性受容体」、
「感熱性記録層」、
「層支持体」、
「中間層」、
に相当する。
　　　　　　　
・また、刊行物１発明の「感熱記録層を覆う様に、アクリレート系プレポリマーを塗工、電離放射線照射で硬化して形成されるオーバーコート層」は、
本願発明の「その樹脂成分がアクリレート及び／又はメタクリレートのモノマー又はプレポリマーから形成されており」、かつ「感熱性記録層を覆い、かつ熱線を用いて硬化された、珪素含有化合物不含の保護層」に相当する。
　　　　　　
・してみると、両者は、
「ａ）その前面上に、色素前駆体及びこの色素前駆体との接触時に色形成反応をする顕色性受容体を含有する感熱性記録層が配置されている層支持体、
ｂ）層支持体と感熱性記録層との間に配置された中間層、
ｃ）感熱性記録層を覆い、かつ熱線を用いて硬化された、珪素含有化合物不含の保護層、その際、その樹脂成分がアクリレート及び／又はメタクリレートのモノマー又はプレポリマーから形成されており、並びに
ｄ）層支持体の裏側上に配置された粘着層より成る感熱性記録材料の、
ｅ’）ラベル材料としての使用。」で一致し、
本願発明が「感熱性記録材料のラベル材料としての使用に際して、
ｇ）感熱性記録材料がロールに巻き上げ可能であり、このロール中で粘着層が保護層と接触すること、
ｈ）感熱性記録材料にオフセット−又はフレキソ印刷法で印刷すること」を規定しているのに対して、
刊行物１発明が、特にそのように規定をしていない点で、相違する。
　　　　　
４．判断 
４−１．相違点についての検討
・先ず、相違点ｇについて検討する。 
　刊行物１発明では、感熱性記録材料がロールに巻き上げ可能であり、このロール中で粘着層が保護層と接触すること（ｇ）を明記してはいない。
　しかし、刊行物１発明では、支持体として推奨されるフィルム法合成紙が、樹脂フィルム由来の柔軟な支持体なので、感熱性記録材料は、概してロール巻き上げ可能である。
また、刊行物１発明では、コンパクトで単純な記録機器に組み込んで感熱ラベルに使用することが主要な用途の一つと認識されている。
　しかも、ロール巻き上げで、ロール中、粘着層が保護層と接触する形態は、上記した周知引例１にも示されているように（《２ａ》参照）、感熱性記録材料の良く知られた使用形態の一つである。
　してみると、感熱性記録材料の感熱ラベルとしての使用にあたり、『感熱性記録材料がロールに巻き上げ可能であり、このロール中で粘着層が保護層と接触する』構成とすることは、その使用形態、機能、用途等を考慮して当業者が適宜なし得る当たり前のことに過ぎず、その作用効果も、特段のものでは無い。
　　　　　
・次いで、相違点ｈについて検討する。
　刊行物１発明で、支持体として推奨されるフィルム法合成紙は、樹脂フィルム由来の高平滑性で、印刷適性に優れている。
　また、感熱ラベル用途であれば、感熱記録に先立ち、予め、ラベル隅に店名や会社名をオフセット印刷しておき、ラベルの一貫性・統一性を高めて、ラベル表示内容の信頼感を高めることが斯界の常套手段である。
　しかも、感熱性記録材料に、予めオフセット印刷を施しておくことは、上記した周知引例２、周知引例３にもそれぞれ示されているように（《３ａ》、《４ａ》参照）、感熱性記録材料の良く知られた使用形態である。
　してみると、感熱性記録材料の感熱ラベルとしての使用にあたり、『感熱性記録材料にオフセット−又はフレキソ印刷法で予め印刷しておく』構成とすることは、その使用形態、機能、用途等を考慮して当業者が適宜なし得る当たり前のことに過ぎず、その作用効果も、特段のものでは無い。
　　　　　
・したがって、本願発明は、刊行物１に記載された発明及び周知技術に基づいて当業者が容易に発明をすることができたものである。
　　　　　　
５．むすび 
・以上のとおり、本願の請求項１に係る発明は、刊行物１に記載された発明及び周知技術に基づいて当業者が容易に発明をすることができたものであるから、特許法第２９条第２項の規定により特許を受けることができない。 
　したがって、その他の請求項に係る発明について検討するまでもなく、本願は拒絶すべきものである。 
　よって、結論のとおり審決する。